(57)【要約】【課題】簡単な構成で組立ができるとともに、分解して廃棄する際には、プラスチック部品と金属部品とを完全に分別することができるイス座板の取付機構を提供すること。【解決手段】座板１の下面には円形の窪み穴１１が形成され、かつ、この窪み穴１１の内周縁には少なくとも複数の切欠スリット１２・１２…が相称的に刻設されており、それぞれ切欠スリット１２の底部にはロックポケット１２ａが側方に延成されている一方、支持脚Ａの上部には環状の取付リング２が配設されており、その外周には、フランジ金具３が前記切欠スリット１２の対応位置において、フランジ部３１が取付リング外方に持ち出されるように固定されており、このフランジ部３１を前記切欠スリット１２に落し込んだ状態で、ひねり回すことによって同フランジ部３１が前記ロックポケット１２ａ内に掛合することによって固定され、支持脚Ａと座板１とが連結固定可能に構成した。【選択図】　図１
2004008718.tif 000002
【特許請求の範囲】
【請求項１】
イスの支持脚Ａの上部にプラスチック製の座板１を安定的に取り付ける機構であって、
座板１の下面には円形の窪み穴１１が形成され、かつ、この窪み穴１１の内周縁には少なくとも複数の切欠スリット１２・１２…が相称的に刻設されており、それぞれ切欠スリット１２の底部にはロックポケット１２ａが側方に延成されている一方、
支持脚Ａの上部には環状の取付リング２が配設されており、その外周には、フランジ金具３が前記切欠スリット１２の対応位置において、フランジ部３１が取付リング外方に持ち出されるように固定されており、
このフランジ部３１を前記切欠スリット１２に落し込んだ状態で、ひねり回すことによって同フランジ部３１が前記ロックポケット１２ａ内に掛合することによって固定され、支持脚Ａと座板１とが連結固定可能であることを特徴とするイス座板の取付機構。
【請求項２】
フランジ金具３の上面に食い込み突起３２が形成されており、この食い込み突起３２が座板１のロックポケット１２ａ内に食い込み掛合することを特徴とする請求項１記載のイス座板の取付機構。
【請求項３】
座板１は硬質なポリエチレンで中空に作製されていることを特徴とする請求項１または２記載のイス座板の取付機構。
【発明の詳細な説明】
【０００１】
【発明の属する技術分野】
本発明は、イス部品の改良、更に詳しくは、簡単な構成で組立ができるとともに、分解して廃棄する際には、プラスチック部品と金属部品とを完全に分別することができるイス座板の取付機構に関するものである。
【０００２】
【従来の技術】
近年、環境保全への関心が高まる中、資源ゴミのリサイクル運動が普及しており、ゴミを廃棄する際には、再利用可能なプラスチックや金属（鉄、アルミニウム）などの各材質の種類によって分別する必要があり、家庭用品においても、異なる材質の部品を組み合わせて作製されているものについては、部品ごとに分解して廃棄する必要がある。
【０００３】
しかしながら、構成部品が複雑に組み立てられていると、分解作業が大変面倒であるがゆえに、そのまま廃棄してしまう者も多いという問題があった。
【０００４】
例えば、家庭や職場において用いる腰掛けイスは、支持脚部分と座板が別材質で作製されていることが多いのであるが、ビスなどで強固に固定されていたりして、分解が非常に面倒であった。
【０００５】
そして、座板を取り外したとしても、プラスチック製の座板の内部にネジ受けとなる金属部品が内部に一体にインサート成形されている場合、この金属部品を取り出す分別作業を手作業で行っていることが多く、工具の取扱いに注意を払わねばならないし、かつ、ケガの危険もあった。
【０００６】
【発明が解決しようとする課題】
本発明は、従来のイスに上記したような問題があったことに鑑みて為されたものであり、その目的とするところは、簡単な構成で組立ができるとともに、分解して廃棄する際には、プラスチック部品と金属部品とを完全に分別することができるイス座板の取付機構を提供することにある。
【０００７】
【課題を解決するための手段】
本発明者が上記技術的課題を解決するために採用した手段を、添附図面を参照して説明すれば、次のとおりである。
【０００８】
即ち、本発明は、イスの支持脚Ａの上部にプラスチック製の座板１を安定的に取り付ける機構であって、
座板１の下面には円形の窪み穴１１が形成され、かつ、この窪み穴１１の内周縁には少なくとも複数の切欠スリット１２・１２…が相称的に刻設されており、それぞれ切欠スリット１２の底部にはロックポケット１２ａが側方に延成されている一方、
支持脚Ａの上部には環状の取付リング２が配設されており、その外周には、フランジ金具３が前記切欠スリット１２の対応位置において、フランジ部３１が取付リング外方に持ち出されるように固定されており、
このフランジ部３１を前記切欠スリット１２に落し込んだ状態で、ひねり回すことによって同フランジ部３１が前記ロックポケット１２ａ内に掛合することによって固定され、支持脚Ａと座板１とが連結固定可能に構成するという技術的手段を採用した。
【０００９】
また、本発明は、上記課題を解決するために、必要に応じて上記手段に加え、フランジ金具３の上面に食い込み突起３２が形成されており、この食い込み突起３２が座板１のロックポケット１２ａ内に食い込み掛合するという技術的手段を採用した。
【００１０】
更にまた、本発明は、上記課題を解決するために、必要に応じて上記手段に加え、座板１を硬質なポリエチレンで中空に作製するという技術的手段を採用し
た。
【００１１】
【発明の実施の形態】
本発明の実施形態を具体的に図示した図面に基いて更に詳細に説明すると次のとおりである。
【００１２】
本発明の実施形態を図１から図６に基いて説明する。図中、符号１で指示するものは座板であり、この座板１はプラスチック（本実施形態では、硬質なポリエチレンを採用する）を中空成形して作製されており、座板１の下面には円形の窪み穴１１が形成されており、かつ、この窪み穴１１の内周縁には少なくとも複数（本実施形態では、４箇所）の切欠スリット１２・１２…が相称的に刻設されており、それぞれ切欠スリット１２の底部にはロックポケット１２ａが側方に延成されている（図１参照）。
【００１３】
次に、符号２で指示するものは取付リングであり、この取付リング２は支持脚Ａの上部に配設する部材である。また、符号３で指示するものはフランジ金具であり、このフランジ金具３はＵ字状に折曲成形された金属板部品であって、上部にフランジ部３１が形成されている。
【００１４】
しかして、本実施形態は、イスの支持脚Ａの上部にプラスチック製の座板１を安定的に取り付ける機構であって、まず、支持脚Ａの上部に環状の取付リング２を配設する。この際、この取付リング２の外周には、フランジ金具３を前記切欠スリット１２の対応位置において、フランジ部３１が取付リング外方に持ち出されるようにして固定する（図２および図３参照）。
【００１５】
そして、図４に示すように、このフランジ部３１を前記切欠スリット１２に落し込んだ状態で、ひねり回すことによって同フランジ部３１が前記ロックポケット１２ａ内に掛合することによって固定され（図５参照）、支持脚Ａと座板１とを連結固定することができる（図６参照）。
【００１６】
なお、本実施形態では、フランジ金具３の上面に食い込み突起３２を形成することによって、この食い込み突起３２を座板１のロックポケット１２ａ内に食い込み掛合することができ、両部材をより確実に固定することができる。
【００１７】
このようにして、簡単に組み立てることができると共に、廃棄処分する場合には、逆の手順で操作することによって座板１を簡単に取り外すことができ、プラスチック部品である座板１と金属部品である支持脚Ａとを分解し、これらを分別して廃棄処分することができるのである。
【００１８】
本発明は概ね上記のように構成されるが、本発明は図示の実施形態に限定されるものでは決してなく、「特許請求の範囲」の記載内において種々の変更が可能であって、例えば、座板１の窪み穴１１の切欠スリット１２の数は２つ以上あればいくつでも良く、それらの切欠スリット１２に対応する位置にフランジ金具３を配設すれば良い。また、フランジ金具３に取付孔を開設して座板１にネジ止めすることもでき、何れのものも本発明の技術的範囲に属する。
【００１９】
【発明の効果】
以上、実施形態を挙げて説明したとおり、本発明にあっては、支持脚と座板とを別材料で構成しつつも、廃棄処分する場合には、座板をひねり回すことによって簡単に取り外すことができるので、これらを分別して廃棄処分することができるのである。従って、資源ゴミとして材料をリサイクルする際に、分別が簡単であることから、非常に都合が良く、利用価値は頗る大きい。
【図面の簡単な説明】
【図１】本発明の実施形態における座板を裏から眺めた全体斜視図である。
【図２】本発明の実施形態における取付リングおよびフランジ金具を表わす全体上面図である。
【図３】本発明の実施形態における取付リングおよびフランジ金具を表わす説明側面図である。
【図４】本発明の実施形態におけるイスを構成する手順を表わす説明下面図である。
【図５】本発明の実施形態におけるイスを構成する手順を表わす説明下面図である。
【図６】本発明の実施形態におけるイスを裏から眺めた下方斜視図である。
【符号の説明】
１　　座板
１１　窪み穴
１２　切欠スリット
１２ａ　ロックポケット
２　　取付リング
３　　フランジ金具
３１　フランジ部
３２　食い込み突起
Ａ　　支持脚
【図１】
2004008718.tif 000003
【図２】
2004008718.tif 000004
【図３】
2004008718.tif 000005
【図４】
2004008718.tif 000006
【図５】
2004008718.tif 000007
【図６】
2004008718.tif 000008